(57)【特許請求の範囲】
【請求項１】
下部に内向きフランジを有する枠体に周囲を囲まれた矩形板状の枠付き太陽電池モジュールを水平に多数段に積み重ねて梱包する際に、上下の太陽電池モジュールの四隅の間に介設されるコーナー支持部材であって、合成樹脂で一体成形され、
上下の太陽電池モジュールの枠体の隅角部外側面に当接する外側壁と、上下の太陽電池モジュールの間に介在するように、前記外側壁の上下方向中間位置から内側へ水平に延出する介在片と、
この介在片の内側端縁から外側壁と平行に対向するように起立し、上側太陽電池モジュールの枠体の内向きフランジの隅角部内側に当接する内側起立片と、
介在片の内側端部から起立し、上側太陽電池モジュールの枠体の内向きフランジの内側縁部にスナップ係合する弾性係合片とを具備することを特徴とする太陽電池モジュールの梱包用コーナー支持部材。
【請求項２】
前記外側壁は、上下の太陽電池モジュールの枠体の隅角部外側面に当接するように互いに直交して接合する２つの垂直な外側規制面を有し、
前記介在片は、上面は、上側太陽電池モジュールの枠体の内向きフランジを載せ受ける水平載置面とされ、下面は、下側太陽電池モジュールの枠体の上面に当接する水平当接面とされ、
前記内側起立片は、外側規制面と平行に対向し、上側太陽電池モジュールの枠体の内向きフランジの隅角部内側に当接する内側規制面を有することを特徴とする請求項１に記載の太陽電池モジュールの梱包用コーナー支持部材。
【請求項３】
前記弾性係合片は、前記外側壁の２つの外側規制面のそれぞれに対向して２つ設けられ、前記枠体の内向きフランジの直交する内側縁部にスナップ係合することを特徴とする請求項１又は２に記載の太陽電池モジュールの梱包用コーナー支持部材。
【発明の詳細な説明】
【技術分野】
【０００１】
この発明は、矩形板状の枠付き太陽電池モジュールを水平に多数積み重ねて梱包する際に、個々の太陽電池モジュールの四隅を保護して整列させるために、上下の太陽電池モジュールの間に介設されるコーナー支持部材に関する。
【背景技術】
【０００２】
太陽電池モジュールのコーナー部を保護するコーナーパッドとして、特許文献１に記載されたものが知られている。これは、運搬時や保管時に積層される複数の太陽電池モジュールそれぞれのコーナー部に装着されて、コーナー部での天側、側面側、および地側を覆うコーナーパッドであって、コーナー部での天側を覆う天面部と、天面部に連接してコーナー部での側面側を覆う側壁部と、側壁部に連接してコーナー部での地側を覆う底面部とを備えている。底面部は、複数の太陽電池モジュールの積層時に下側のコーナーパッドの天面部が嵌合可能な開口部を有する。
【先行技術文献】
【特許文献】
【０００３】
【特許文献１】特開２００６−３２９７８号公報
【発明の概要】
【発明が解決しようとする課題】
【０００４】
上記従来のコーナーパッドは、天面部と底面部とを有するため、これを太陽電池モジュールに対して横方向に嵌合させて装着する必要がある。この場合、太陽電池モジュールの積み重ね作業の前に、個々の太陽電池モジュールへコーナーパッド装着しなければならず、太陽電池モジュールの積み重ね作業と、それへのコーナーパッドの装着作業とを同時に行うことができない。
したがって、この出願に係る発明は、太陽電池モジュールの積み重ね作業と、太陽電池モジュールへの装着作業とを同時に行うことができるコーナー支持部材を提供することを目的としている。
【課題を解決するための手段】
【０００５】
以下、添付図面の符号を参照して説明するが、本発明はこれに限定されるものではない。
上記課題を解決するための、この出願に係る発明の太陽電池モジュールの梱包用コーナー支持部材１は、枠体４２に周囲を囲まれた矩形板状の枠付き太陽電池モジュールＰを水平に多数段に積み重ねて梱包する際に、上下の太陽電池モジュールＰの四隅の間に介設される。太陽電池モジュールＰの枠体４２は、下部に内向きフランジ４５を有する。コーナー支持部材１は、合成樹脂で一体成形され、上下の太陽電池モジュールＰの枠体４２の隅角部外側面４２ａに当接する外側壁２と、上下の太陽電池モジュールＰの間に介在するように、前記外側壁２の上下方向中間位置から内側へ水平に延出する介在片３と、この介在片３の内側端縁から外側壁２と平行に対向するように起立し、上側太陽電池モジュールＰの枠体４２の内向きフランジ４５の隅角部内側に当接する内側起立片４と、介在片３の内側端部から起立し、上側太陽電池モジュールＰの枠体４２の内向きフランジ４５の内側縁部４５ａにスナップ係合する弾性係合片５とを具備する。
【発明の効果】
【０００６】
この出願に係る発明のコーナー支持部材１によれば、太陽電池モジュールＰの積み重ね作業と、太陽電池モジュールＰへのコーナー支持部材１の装着作業とを同時に行うことができ、しかも太陽電池モジュールＰを積層体から取り出すときに、コーナー支持部材１が太陽電池モジュールＰから離脱することがない。
【図面の簡単な説明】
【０００７】
【図１】本発明に係るコーナー支持部材の使用状態の断面図である。
【図２】図１のコーナー支持部材の平面図である。
【図３】図１のコーナー支持部材を上方から見た斜視図である。
【図４】図１のコーナー支持部材を上方別角度から見た斜視図である。
【図５】図１のコーナー支持部材を下方から見た斜視図である。
【図６】本発明に係るコーナー支持部材を用いた太陽電池モジュールの積層状態の説明図である。
【発明を実施するための形態】
【０００８】
図面を参照してこの発明の実施の形態を説明する。
図１，６に示すように、太陽電池モジュールＰは、矩形板状の本体４１と、それの四囲を囲む枠体４２とを具備する。枠体４２は、上部の内側に、本体４１の外周縁部を挟持する上下一対の挟持片４３，４４を有すると共に、太陽電池モジュールＰの設置時に支持体側に配置される内向きフランジ４５とを具備する。ここで「上」とは、本体４１の受光面側、「下」とはその反対側を意味し、太陽電池モジュールＰを水平に積層する際の「上」、「下」と同義である。
【０００９】
太陽電池モジュールＰを梱包するための積層は、上下の太陽電池モジュールＰの四隅間に介設される複数のコーナー支持部材1を用いて行われる。
【００１０】
コーナー支持部材1は、合成樹脂で一体成形されるもので、上下の太陽電池モジュールＰの枠体４２の隅角部外側面４２ａに当接するように平面視直角に屈折する外側壁２と、外側壁２から水平に延出し、上下の太陽電池モジュールＰの四隅間に介在する介在片３とを具備する。
【００１１】
外側壁２は、水平の介在片３を境にした上下の内側に、垂直の外側規制面２ａ，２ｂを有する。上部の外側規制面２ａは、上側太陽電池モジュールにおける枠体４２の隅角部外側面４２ａの下部に当接する。下部の外側規制面２ｂは、下側太陽電池モジュールＰにおける枠体４２の隅角部外側面４２ａの上部に当接する。図示の実施形態においては、下部の外側規制面２ｂは、多数のリブ２ｄにおける下端面の集合として形成される（図５）。外側壁２の上端部内側には、内側下がりのガイド斜面２ｃが形成される。
【００１２】
上下の太陽電池モジュールＰの間に介在する介在片３は、外側壁２の上下方向中間位置から内側へ水平に延出する。したがって、介在片３の上面は、上側太陽電池モジュールＰにおける枠体４２の内向きフランジ４５を載せ受ける水平載置面３ａとされ、下面は、下側太陽電池モジュールＰにおける枠体４２の上面に当接する水平当接面３ｂとされる。図示の実施形態においては、当接面３ｂは、多数のリブ３ｃにおける下端面の集合として形成される（図５）。
【００１３】
内側起立片４は、介在片３の内側端縁から外側規制面２ａと平行に、これと対向するように起立し、上側太陽電池モジュールＰにおける枠体４２の内向きフランジ４５の隅角部内側縁部４５ａに当接する内側規制面４ａを有すると共に、ガイド斜面４ｂを有する。
【００１４】
弾性係合片５は、介在片３の内側端部から起立し、上側太陽電池モジュールＰにおける枠体４２の内向きフランジ４５の内側縁部４５ａにスナップ係合する。弾性係合片５は、脚部５ａ と顎部５ｂ とを具備する。脚部５ａは、介在片３の下部位置から垂直に、上面３ａの高さを超える高さ位置まで起立する。顎部５ｂは、脚部５ａ の上端部に形成され、上端がフランジ４５の内側縁部４５ａよりやや内側位置となり、下端がフランジ４５の内側縁部４５ａより外側で、介在片３の上面３ａからフランジ４５の厚さ相当離れた高さ位置となるように設定され、内方下がりの傾斜摺動面５c を有する。
【００１５】
したがって、介在片３上に太陽電池モジュールＰを載せ受ける過程で、フランジ４５の内側下縁部４５ａ が、弾性係合片５の傾斜摺動面５ｃに対して摺動しつつ、脚部５ａを内側へ撓ませ、顎部５ｂを通過すると、顎部５ｂが内側下縁部４５ａにスナップ係合する。弾性係合片５は、外側壁２の２つの外側規制面２ａのそれぞれに対向して２つ設けられ、枠体４２の内向きフランジ４５の直交する内側縁部４５ａにスナップ係合する。
【００１６】
この結果、太陽電池モジュールＰは、介在片３と弾性係合片５の顎部５ｂとにより、上下に挟まれる。このため、コーナー支持部材1は、太陽電池モジュールＰを、それの積層体から取り出すときに、太陽電池モジュールＰから離脱することがなく、太陽電池モジュールＰと共に移動することができる。
【００１７】
図１，６に示すように、太陽電池モジュールＰを梱包する場合、図示しない適宜の架台上に、４つのコーナー支持部材1を、太陽電池モジュールＰの四隅に対応する位置に配置する。この場合、予め架台上にコーナー支持部材1の位置決め部材を設け、これに合わせてコーナー支持部材1を配置することができる。
【００１８】
架台上に置かれた４つのコーナー支持部材1の介在片３上に、四隅を配置するように太陽電池モジュールＰを載せ置く。太陽電池モジュールＰの四隅の２つの外側面４２ａは、外側規制面２ａに当接してこれに対向し、それの水平方向の位置が規制される。太陽電池モジュールＰをガイド斜面２ｃに沿って押し下げると、弾性係合片５が自動的に枠体４２におけるフランジ４５の内側縁部４５ａにスナップ係合し、太陽電池モジュールＰとコーナー支持部材1とが一体化する。
【００１９】
その上に他の太陽電池モジュールＰを積層する場合には、当該太陽電池モジュールＰの枠体４２の四隅に次段のコーナー支持部材1を置く。次段のコーナー支持部材１は、底面７を当該太陽電池モジュールＰの枠体４２の隅角部上面に当接させ、外側規制面２ｂを当該太陽電池モジュールＰの枠体４２の隅角部外側面４２ａに当接させる。
【００２０】
積層する太陽電池モジュールＰは、介在するコーナー支持部材１により上下方向に整列し、位置ずれを生じることがない。
【００２１】
上層の太陽電池モジュールＰを下層の太陽電池モジュールＰから取り分ける際には、当該上層の太陽電池モジュールＰと一体に、それの四隅のコーナー支持部材１を、下層のコーナー支持部材１に対して上方へ容易に離脱させることができる。移動させる当該上層の太陽電池モジュールＰには、コーナー支持部材１が付いてくるので、あらためてコーナー支持部材１を装着することなく、安全に保管することができる。
【符号の説明】
【００２２】
１    コーナー支持部材
２    外側壁
２ａ  外側規制面
２ｂ  外側規制面
２ｃ  ガイド傾斜面
３    介在片
３ａ  水平載置面
３ｂ  水平当接面
３ｃ  リブ
４    内側起立片
４ａ  内側規制面
４ｂ  ガイド傾斜面
５    弾性係合片
５ａ  脚部
５ｂ  顎部
５ｃ  傾斜摺動面
Ｐ    太陽電池モジュール
４１  太陽電池モジュールの本体
４２  枠体
４２ａ  枠体の隅角部外側面
４３  挟持片
４４  挟持片
４５  内向きフランジ
４５ａ  フランジの内側縁部
【図１】
0005432951.tif 000002
【図２】
0005432951.tif 000003
【図３】
0005432951.tif 000004
【図４】
0005432951.tif 000005
【図５】
0005432951.tif 000006
【図６】
0005432951.tif 000007